【手続補正書】
【提出日】平成20年4月21日(2008.4.21)
【手続補正１】
【補正対象書類名】明細書
【補正対象項目名】発明の名称
【補正方法】変更
【補正の内容】
【発明の名称】情報処理装置およびその方法
【手続補正２】
【補正対象書類名】明細書
【補正対象項目名】特許請求の範囲
【補正方法】変更
【補正の内容】
【特許請求の範囲】
【請求項1】
消耗品の回収方法の選択画面を、通信可能に接続されたコンピュータに供給する供給手段と、
前記選択画面において、前記回収方法として一括回収が選択された場合は回収を希望する消耗品の型番と数量を指定するための一括回収画面を前記コンピュータに供給し、前記回収方法として個別回収が選択された場合は回収を希望する消耗品の型番と数量および回収希望日を指定するための個別回収画面を前記コンピュータに供給する処理手段とを有することを特徴とする情報処理装置。
【請求項2】
消耗品の回収方法の選択画面を、通信可能に接続されたコンピュータに供給する供給手段と、
前記選択画面において、前記回収方法として一括回収が選択された場合は回収を希望する消耗品の型番と数量を指定するための一括回収画面を前記コンピュータに供給するとともに前記消耗品を回収するための容器の発送処理を行い、前記回収方法として個別回収が選択された場合は回収を希望する消耗品の型番と数量および回収希望日を指定するための個別回収画面を前記コンピュータに供給するとともに回収伝票の印刷用のデータを前記コンピュータに送信する処理手段とを有することを特徴とする情報処理装置。
【請求項3】
前記供給手段は、前記コンピュータのユーザが特定のユーザの場合は前記選択画面を供給することなく、前記一括回収画面を前記コンピュータに供給することを特徴とする請求項1または請求項2に記載された情報処理装置。
【請求項4】
消耗品の回収方法の選択画面を、通信可能に接続されたコンピュータに供給する供給ステップと、
前記選択画面において、前記回収方法として一括回収が選択された場合は回収を希望する消耗品の型番と数量を指定するための一括回収画面を前記コンピュータに供給し、前記回収方法として個別回収が選択された場合は回収を希望する消耗品の型番と数量および回収希望日を指定するための個別回収画面を前記コンピュータに供給する処理ステップとを有することを特徴とする情報処理方法。
【請求項5】
消耗品の回収方法の選択画面を、通信可能に接続されたコンピュータに供給する供給ステップと、
前記選択画面において、前記回収方法として一括回収が選択された場合は回収を希望する消耗品の型番と数量を指定するための一括回収画面を前記コンピュータに供給するとともに前記消耗品を回収するための容器の発送処理を行い、前記回収方法として個別回収が選択された場合は回収を希望する消耗品の型番と数量および回収希望日を指定するための個別回収画面を前記コンピュータに供給するとともに回収伝票の印刷用のデータを前記コンピュータに送信する処理ステップとを有することを特徴とする情報処理方法。
【請求項6】
前記供給ステップにおいて、前記コンピュータのユーザが特定のユーザの場合は前記選択画面を供給することなく、前記一括回収画面を前記コンピュータに供給することを特徴とする請求項4または請求項5に記載された情報処理方法。
【請求項7】
コンピュータ装置に、請求項4から請求項6の何れか一項に記載された情報処理を実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明は、カートリッジなどの消耗品の回収にかかわる情報処理に関する。
【手続補正４】
【補正対象書類名】明細書
【補正対象項目名】００１０
【補正方法】変更
【補正の内容】
【００１０】
前述したように、カートリッジは、トナーを封入する容器として利用されるだけでなく、感光ドラム、現像器、クリーニング部材などの消耗部品が組み込まれた部品として機能する場合もあり、また単にトナーを封入する機能のみをもち合わせた場合もある。このように、カートリッジに限った場合でも、さまざまな種類のカートリッジが考えられ、単なる顧客の回収率だけで、すべてのカートリッジに対するインセンティブを設定することは有用なインセンティブの設定方法として充分な方法とは言えない。このため図2に示すように、回収されたカートリッジの種類ごとに回収率を算出し、カートリッジの種類ごとにインセンティブを設定している。
【手続補正５】
【補正対象書類名】明細書
【補正対象項目名】００１４
【補正方法】変更
【補正の内容】
【００１４】
【発明が解決しようとする課題】
本発明は、消耗品の回収におけるデータ集計を容易に、かつ、正確に行うことを目的とする。
【手続補正６】
【補正対象書類名】明細書
【補正対象項目名】００１５
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００２０
【補正方法】変更
【補正の内容】
【００２０】
本発明にかかる情報処理は、消耗品の回収方法の選択画面を、通信可能に接続されたコンピュータに供給し、前記選択画面において、前記回収方法として一括回収が選択された場合は回収を希望する消耗品の型番と数量を指定するための一括回収画面を前記コンピュータに供給し、前記回収方法として個別回収が選択された場合は回収を希望する消耗品の型番と数量および回収希望日を指定するための個別回収画面を前記コンピュータに供給することを特徴とする。
【手続補正９】
【補正対象書類名】明細書
【補正対象項目名】００２１
【補正方法】変更
【補正の内容】
【００２１】
また、消耗品の回収方法の選択画面を、通信可能に接続されたコンピュータに供給し、前記選択画面において、前記回収方法として一括回収が選択された場合は回収を希望する消耗品の型番と数量を指定するための一括回収画面を前記コンピュータに供給するとともに前記消耗品を回収するための容器の発送処理を行い、前記回収方法として個別回収が選択された場合は回収を希望する消耗品の型番と数量および回収希望日を指定するための個別回収画面を前記コンピュータに供給するとともに回収伝票の印刷用のデータを前記コンピュータに送信することを特徴とする。
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】削除
【補正の内容】
【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】削除
【補正の内容】
【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】０１３６
【補正方法】削除
【補正の内容】
【手続補正２３】
【補正対象書類名】明細書
【補正対象項目名】０１３８
【補正方法】削除
【補正の内容】